(57)【特許請求の範囲】
【請求項１】
可撓性及び/又は折曲部を持つ事で折り曲げ可能の基材に磁石体を備えさせ、前記基材に
磁石体を備えさせる箇所とは別の部分に補助部材を設け、
前記基材及び/又は前記補助部材が磁力を通す機能を持ち、
前記基材と前記補助部材の間に空間を備え、
前記空間に磁石体又は金属板又は刺入部材を出し入れ自由に挿入して固定が出来る隙間を備えたことで、
前記隙間から挿入して前記空間に固定される磁石体又は金属板又は刺入部材と、前記基材に磁石体を備えさせた箇所が前記基材を折り曲げた際に磁力により固定されることでシート類を挟持して固定することを特徴とするシート類固定器具。
【請求項２】
可撓性及び/又は折曲部を持つ事で折り曲げ可能の基材に磁石体を備えさせる機能を持たせ、前記基材に磁石体を備えさせる機能を持たせた箇所とは別の部分に補助部材を設け、
前記基材及び/又は前記補助部材が磁力を通す機能を持ち、
前記基材と前記補助部材の間に空間を備え、
前記空間に磁石体又は金属板又は刺入部材を出し入れ自由に挿入して固定が出来る隙間を備えたことで、
前記隙間から挿入して前記空間に固定される磁石体又は金属板又は刺入部材と、前記基材が磁石体を備えさせる機能により磁石体を備えさせた箇所が前記基材を折り曲げた際に磁力により固定されることでシート類を挟持して固定することを特徴とするシート類固定器具。
【請求項３】
可撓性及び/又は折曲部を持つ事で折り曲げ可能の基材に補助部材を設け、
前記基材に前記補助部材を設けた箇所とは別の部分に別補助部材を設け、
前記基材が磁力を通す機能を持つか、又は、
前記基材、前記補助部材、前記別補助部材の少なくともいずれか２つが磁力を通す機能を持ち
前記基材と前記補助部材及び、前記基材と前記別補助部材の間にそれぞれ空間を備え、前記各空間に磁石体又は金属板又は刺入部材を出し入れ自由に挿入して固定出来る隙間を備えたことで、
前記補助部材側の空間に備えられた前記隙間から挿入して前記空間に固定される磁石体と前記別補助部材側の空間に備えられた前記隙間から挿入して前記空間に固定される磁石体又は金属板又は刺入部材とが、
あるいは
前記別補助部材側の空間に備えられた前記隙間から挿入して前記空間に固定される磁石体と前記補助部材側の空間に備えられた前記隙間から挿入して前記空間に固定される磁石体又は金属板又は刺入部材とが、
前記基材を折り曲げた際に磁力により固定されることでシート類を挟持して固定することを特徴とするシート類固定器具。
【請求項４】
上部先端より下部の位置に磁石体を備えさせた基材と、上部先端より下部の位
置に補助部材を備えた別基材と、各々の上部先端付近を合体させる合体部を備え、
前記基材、前記補助部材、前記別基材、の３部材の全てが磁力を通す機能を持つか
あるいは
前記別基材側に対向する側の前記基材面に磁石体を備えた構造においては、
前記３部材のうち少なくとも前記補助部材、前記別基材の２部材が磁力を通す機能を持つか、又は、
前記別基材が前記基材面に対向する場合は少なくとも前記別基材が、そして、
前記補助部が前記基材面に対向する場合は少なくとも前記補助部が
磁力を通す機能を持ち、
あるいは
前記別基材側に対向しない側の前記基材面に磁石体を備えた構造においては前記基材が磁力を通す機能を備えた上で
前記別基材が前記基材面に対向する場合は少なくとも前記２部材のうち前記別基材が、そして、
前記補助部が前記基材面に対向する場合は少なくとも前記２部材のうち前記補助部が
磁力を通す機能を持ち
前記別基材と前記補助部材の間には空間を備え、前記空間に磁石体又は金属板又は刺入部材を出し入れ自由に挿入して固定出来る隙間を備えたことで、
前記基材に備えさせた磁石体と前記隙間から挿入して前記空間に固定される磁石体又は金属板又は刺入部材が磁力により固定されることでシート類を挟持して固定することを特徴とするシート類固定器具。
【請求項５】
上部先端より下部の位置に磁石体を備えさせる機能を持つ基材と、上部先端より下部の位
置に補助部材を備えた別基材と、各々の上部先端付近を合体させる合体部を備え、
前記基材、前記補助部材、前記別基材、の３部材の全てが磁力を通す機能を持つか
あるいは
前記別基材側に対向する側の前記基材面に磁石体を備えさせられる構造においては、
前記３部材のうち少なくとも前記補助部材、前記別基材の２部材が磁力を通す機能を持つか、又は、
前記別基材が前記基材面に対向する場合は少なくとも前記別基材が、そして、
前記補助部が前記基材面に対向する場合は少なくとも前記補助部が
磁力を通す機能を持ち、
あるいは
前記別基材側に対向しない側の前記基材面に磁石体を備えさせられる構造においては前記基材が磁力を通す機能を備えた上で
前記別基材が前記基材面に対向する場合は少なくとも前記２部材のうち前記別基材が、そして、
前記補助部が前記基材面に対向する場合は少なくとも前記２部材のうち前記補助部が
磁力を通す機能を持ち
前記別基材と前記補助部材の間には空間を備え、前記空間に磁石体又は金属板又は刺入部材を出し入れ自由に挿入して固定出来る隙間を備えたことで、
前記基材に備えさせられる磁石体と前記隙間から挿入して前記空間に固定される磁石体又は金属板又は刺入部材が磁力により固定されることでシート類を挟持して固定することを特徴とするシート類固定器具。
【請求項６】
上部先端より下部の位置に補助部材を備えさせた基材と、上部先端より下部の位置に別補
助部材を備えた別基材と、各々の上部先端付近を合体させる合体部を備え、
前記基材、前記補助部材、前記別基材、前記別補助部材、の４部材の全てが磁力を通す機能を持つか
あるいは
前記基材が前記別基材に対向する場合は、前記４部材のうち少なくとも前記基材及び前記別基材が磁力を通す機能を持ち、又は、
前記基材が前記別補助部材に対向する場合は、前記４部材のうち少なくとも前記基材及び前記別補助部材が磁力を通す機能を持ち、又は、
前記補助部材が前記別基材に対向する場合は、少なくとも前記４部材のうち前記補助部材及び前記別基材が磁力を通す機能を持ち、又は、
前記補助部材が前記別補助部材、に対向する場合は、少なくとも前記４部材のうち前記補助部材及び前記別補助部材が磁力を通す機能を持ち  
前記基材と前記補助部材及び前記別基材と前記別補助部材の間にはそれぞれ空間を備え、
前記各空間に磁石体又は金属板又は刺入部材を出し入れ自由に挿入して固定出来る隙間を備えたことで、
前記補助部材側の空間に備えられた前記隙間から挿入して前記空間に固定される磁石体と前記別補助部材側の空間に備えられた前記隙間から挿入して前記空間に固定される磁石体又は金属板又は刺入部材とが、
あるいは
前記別補助部材側の空間に備えられた前記隙間から挿入して前記空間に固定される磁石体と前記補助部材側の空間に備えられた前記隙間から挿入して前記空間に固定される磁石体又は金属板又は刺入部材とが、
磁力により固定されることでシート類を挟持して固定することを特徴とするシート類固定器具。
【請求項７】
前記補助部材が可撓性及び/又は折曲部を備えたことを特徴とする請求項１，２，４，５のいずれか一項記載、又は、
前記補助部材、前記別補助部材の少なくともいずれか一つが可撓性及び/又は折曲部を備えたことを特徴とする請求項３又は６記載のシート類固定器具。
【請求項８】
前記基材、前記補助部材、の少なくともいずれか1つに単数又は複数の穴を設けたことを特徴とする請求項１又は２記載、又は、
前記基材、前記補助部材、前記別補助部材の少なくともいずれか1つに単数又は複数の穴を設けたことを特徴とする請求項３記載、又は、
前記基材、前記補助部材、前記別基材の少なくともいずれか1つに単数又は複数の穴を設けたことを特徴とする請求項４又は５記載、又は、
前記基材、前記補助部材、前記別基材、前記別補助部材の少なくともいずれか1つに単数又は複数の穴を設けたことを特徴とする請求項６記載のシート類固定器具。
【請求項９】
前記基材、前記補助部材、の少なくともいずれか1つにスリットを設けたことを特徴とする請求項１又は２記載、又は、
前記基材、前記補助部材、前記別補助部材の少なくともいずれか1つにスリットを設けたことを特徴とする請求項３記載、又は、
前記基材、前記補助部材、前記別基材の少なくともいずれか1つにスリットを設けたことを特徴とする請求項４又は５記載、又は、
前記基材、前記補助部材、前記別基材、前記別補助部材の少なくともいずれか1つにスリットを設けたことを特徴とする請求項６記載のシート類固定器具。  
【請求項１０】
前記スリットが外部に開口していることを特徴とする請求項９記載のシート類固定器具。
【請求項１１】
前記基材、前記補助部材、の少なくともいずれか1つにプレート及び/又は立体物を備える機能を持つことを特徴とする請求項１又は２記載、又は、
前記基材、前記補助部材、前記別補助部材の少なくともいずれか1つにプレート及び/又は立体物を備える機能を持つことを特徴とする請求項３記載、又は、
前記基材、前記補助部材、前記別基材の少なくともいずれか1つにプレート及び/又は立体物を備える機能を持つことを特徴とする請求項４又は５記載、又は、
前記基材、前記補助部材、前記別基材、前記別補助部材の少なくともいずれか1つにプレート及び/又は立体物を備える機能を持つことを特徴とする請求項６記載のシート類固定器具。  
【発明の詳細な説明】
【技術分野】
【０００１】
シート類（掲示物等）を固定する刺入部材の最も代表的なものは画鋲である。本発明は基材に磁石体を取り付けて、前記基材を折り曲げて刺入部材頭部に磁石体を固定し、金属部材（刺入部材頭部等を含む）と磁石体の間の空間に磁力により固定する磁石体と金属部の接面にシート類を挟み込んで固定する器具（シート類固定器具）及びその部品（シート類固定器具用部品）に関するものである。
【背景技術】
【０００２】
従来、掲示物を掲示する主な方法は三通りある。ひとつは代表的な刺入部材の画鋲単体で
掲示物に穴を貫通させてから掲示板等に固定する方法であり、幼稚園や学校等で児童が書
いた絵画画用紙を掲示板に固定する場合は、ほとんどがこの方法により行われている。二
番目の方法は、マグネットボードと磁石体を使用する方法であり、三番目の方法は、セロ
テープ（登録商標）を用いる方法である。又、テントシート等を固定する場合においても,
画鋲よりも強固に固定できる刺入部材（ネジ等）により上記の固定方法が用いられる。
【先行技術文献】
【特許文献】
【０００３】
【特許文献１】特許第５６１２７８５号広報    画鋲補助具
【発明の概要】
【発明が解決しようとする課題】
【０００４】
以下において、刺入部材の代表例である画鋲を表記して説明するが、本願発明における刺入部材とは画鋲に限定されるものではない。磁力により固定される部分を持つ刺入部材であれば画鋲でなくてもかまわない。又、以下において磁力に貼りつく性質のものを金属板と表記して説明するが、磁力に貼りつくものであれば金属板でなくても構わない。
【０００５】
０００３項の先行技術は、「可撓性を有し、且つ、全域にわたって画鋲の貫通が可能である基材が磁石体を備えることを特徴とする画鋲補助具」であり、画鋲を用いて基材末端を掲示板に固定し、前記基材を折りかえして基材先端の磁石体を前記基材末端に設けられた画鋲頭部に磁力により貼り付けて、その接面（磁石と画鋲頭部）の固定力を利用して、シート類を固定する（挟む）ものである。
【０００６】
しかし、先行技術では、シート類を固定する（挟む）際に、片手でシート類を持って、他方の手で前記器具を片手で開閉しなければシート類を固定することは出来ない。なぜならば、前記接面には画鋲頭部が存在し、シート類を押し込むだけの簡易作業では画鋲頭部が接面に存在するので、これが邪魔をして挿入（押し込み）時にシート類が画鋲頭部に引っかかる不具合がある。本願発明は、画鋲頭部等の異物を接面から無くし、ただ単にシート類を押し込む（差し込む）だけの簡易作業でシート類が固定出来るシート類固定器具を作成するにおいて、本願発明は、前記シート類固定器具のみならず、用途に合わせシート類固定器具に必要な磁石体、金属体、刺入部材の配列を基材に設けることが出来るシート類固定器具用部品を作成する事を課題とする。
【課題を解決するための手段】
【０００７】
まず基材に磁力を通す機能を備えさせたことを特徴とするシート類固定器具用部品、又は
磁力を通す機能を備えた基材に磁石体を備え前記基材に磁力に貼りつく性質のもの、及び/又は刺入部材を備えたことを特徴とするシート類固定器具を作成する。
【０００８】
又、前記基材に窪み穴を設けたことを特徴とするシート類固定器具用部品、又はシート類固定器具を作成する。更に、前記基材に補助部材を設け、前記補助部材により前記基材が空間や隙間や爪や突起や粘着力を備えたことを特徴とするシート類固定器具用部品、又はシート類固定器具を作成する。
【０００９】
そして、前記補助部材に磁力を通す機能を備えさせたことを特徴とするシート類固定器具用部品、又はシート類固定器具を作成する。加えて前記基材または補前記助部材または前記窪み穴が磁石体を備えたことを特徴とするシート類固定器具用部品、又はシート類固定器具を作成する。
【００１０】
更に、前記基材または前記窪み穴または、前記補助部材により前記基材に備えられた前記空間、前記隙間、前記爪、前記突起、前記粘着力（粘着剤）に、磁石体、又は磁力に貼りつく性質のもの又は刺入部材又はプレート又は立体物を設けることが出来ることを特徴とするシート類固定器具用部品、又はシート類固定器具を作成する。
【００１１】
そして、前記補助部材又は前記基材が刺入部材針部を貫通させる事が出来ることを特徴とするシート類固定器具用部品、又はシート類固定器具を作成する。
【００１２】
更に、前記基材及び/又は前記補助部材及び/又は前記窪み穴に、穴やスリットを設けたことを特徴とするシート類固定器具用部品、又はシート類固定器具を作成する。
【００１３】
加えて前記基材が可撓性又は、折曲部を備えたことを特徴とするシート類固定器具用部品、又はシート類固定器具を作成する。
【発明の効果】
【００１４】
０００３項の先行技術は、磁石体を備えた基材を折り返した際に、磁力に貼りつく物体（画鋲頭部等）を基材の表面に存在させる必要がある。つまり磁石体と基材の接面に異物（磁石に貼りつく画鋲頭部）の存在が必要である。前記磁石体と前記画鋲頭部が接面で貼りつく事で、シート類の固定を実現させる器具である。この器具においては、ただ単にシート類を押し込む（差し込む）だけの簡易作業でシート類を固定することは出来ない。なぜならば、シート類を押し込む場合に画鋲頭部(異物)が引っかかり邪魔になるからである。
【００１５】
この、課題を解決するために、本願発明では、基材に補助部材や窪みを設け、前記基材及び/又は前記補助部材、前記窪みに磁力を通す機能を備えさせたことを特徴とするシート類固定器具用部品、又はシート類固定器具を作成する。
【００１６】
本願発明シート類固定器具用部品、又はシート類固定器具は、磁力を通す機能を基材や補助部材や窪みに備えさせることで、前記基材や補助部材に設けられる磁石体、磁力に貼りつく性質のもの（以下金属板と表記）、刺入部材、プレート、立体物等が基材に設けることが出来、これによりシート類固定器具を容易に作成できる。つまり、本願発明の「用途に合わせシート類固定器具に必要な磁石体、金属体、刺入部材、プレート、立体物等を基材に自由に配列できる部品」により、前記磁石体等を設けられた前記シート類固定器具が完成される。これにより本願発明のシート類固定器具用部品、又はシート類固定器具により、本願発明の主旨である「ただ単にシート類を押し込む（差し込む）だけの簡易作業でシート類が固定出来る（画鋲頭部等の異物は接面から排除される）」が達成できる。  
【００１７】
前記基材又は前記補助部材、前記窪みに磁石体を備えさせる手段や、前記空間に、磁石体、磁力に貼りつく性質のもの（以下金属板と表記）、刺入部材等を設ける手段により、本願発明の前記シート類固定器具用部品は前記シート類固定器具としての効果を発揮できる。その効果について以下に述べる。効果の説明においては前記シート類固定器具用部品を用いて説明を行う。前記シート類固定器具においては０１５９項以降の実施例９でその手段や効果を述べる。又、プレートや立体物を前記基材又は前記補助部材、前記窪みに備える手段や効果についても実施例９で説明する
【００１８】
本願発明は磁石体を設けた基材を二つ折りにした場合に、ただ単にシート類を押し込む（差し込む）だけの簡易作業でシート類を固定することを課題としており、前記課題解決には、磁石体と基材の接面をプレート状（平面等）にする為に、基材接面から画鋲の存在を排除することが必要である。
【００１９】
その手段としては、基材に補助部材を設け、前記基材及び/又は前記補助部材に磁力を通す機能を備えさせ、前記補助部材により前記基材が空間や隙間や爪や突起や粘着剤を保持するシート類固定器具用部品又は、磁力を通す機能を備えた基材に、窪み穴の空間を設けたシート類固定器具用部品を作成する。又、前記窪み穴には磁石体、金属板、刺入部材等を固定できる補助部材を設けても良い。
【００２０】
これにより、磁石体、金属板、刺入部材、プレート、立体物等を前記空間や前記隙間に使用用途に応じて、好きな場所に設けることが可能となり、様々な使用が出来るシート類固定器具が出来上がる。又、使用においては基材の接面側に画鋲頭部を存在させない機能については００３４項以降の実施例で詳細を述べる。
【００２１】
本願発明シート類固定器具用部品（以下、本願発明と表記する）により、磁石体、金属板、画鋲、プレート、立体物等を使用用途にあわせて、好きな箇所に設けられるという効果があるが、まずは、本願発明において、前記基材に磁石体を備えさせるか、前記空間が磁石体を設ける機能を持つことについての効果を以下に述べる。  
【００２２】
本願発明において、前記基材又は前記補助部材に磁石体を備えさせることで前記基材は磁石体により磁力に貼りつくものに固定することが可能となる。この固定における本願発明の効果を、本願発明の形態の一例を用いて以下に述べる。
【００２３】
前記基材の上部先端に磁石体を備えさせ、前記基材部の磁石体と同一方面の下部末端に金属板を設けた場合、前記基材を前記磁石体および前記金属板が外側になる様に折り返すことで、前記磁石体と前記金属板は前記基材又は前記補助部材を間に挟んで接面を形成する。つまり、裏返した状態で接面を形成する。
【００２４】
この接面になる基材及び/又は補助部材が磁力を通す機能を持つ効果で、前記接面に存在する基材又は補助部材を通して磁力により固定される。本願発明はこのように基材及び/又は補助部材が磁力を通す機能を備えることで、基材接面に存在する異物（画鋲頭部）の存在を消し去ることが可能となる。
【００２５】
つまり、本願発明では基材及び/又は補助部材が磁力を通すことを特徴とすることで、接面の片面又は両面をプレート状にして固定することが可能となる。これにより異物（画鋲頭部）の存在が接面から排除され本願発明の主旨「ただ単にシート類を押し込む（差し込む）だけの簡易作業でシート類が固定出来る」が達成できる。
【００２６】
更に、前記補助部材により前記基材が空間や隙間を備えたり、基材に窪み穴の空間を備えたりすることで、前記空間や前記隙間に磁石体、金属板、刺入部材、プレート、立体物等を使用用途に応じた好みの場所に設けたシート類固定器具が完成する。これについての詳細は実施例で説明する。
【００２７】
００２３項で述べた、前記基材の上部先端に磁石体を備えさせ、前記基材部の下部末端の磁石体と同一面に金属板を設けた場合ではなく、前記基材の下部末端の他の一方面に金属板を設けた場合においても本願発明の主旨は達成できる。その使用例については００３４項以降の実施例を用いて説明する。
【００２８】
００３４項以降の実施例１で述べるが、前記空間に金属板等を備えさせ、前記補助具に針部や粘着性を備えさせて掲示板等に固定する（差し込む、貼り付ける）ことが可能であるが、前記空間に刺入部材の一部を収納して、前記補助部材が刺入部材針部を貫通させる機能を備えさせれば、前記補助部材に針部や粘着性を備えさせずとも掲示板等に固定することが可能となる。又、前記補助部材の代わりに前記基材が刺入部材針部を貫通させる機能を備えさせた場合も同様の効果があるが、これについては実施例２において説明する。
【００２９】
更に、前記基材が可撓性又は、折曲部を備えたことを特徴とするシート類固定器具を作成する。本願発明は磁石体とそれに貼りつく接面が必要であり、折り返さなくても良い形態は００３６項の図２に示すが、使用に際しては基材を二つ折りにして使用する形態があり、その場合は前記基材が可撓性（柔軟性）又は、折曲部を備えさせることで二つ折りが可能となり前記接面が形成される。
【００３０】
前記補助部材又は前記基材が刺入部材針部を貫通させる事が出来ることを特徴とする本願発明の効果については００５５項で、前記基材又は補助部材がスリットを備えたことを特徴とする本願発明については００７２項から００８２項までで、又、前記基材及び/又は前記補助部材及び/又は前記窪み穴に、穴を設けたことを特徴とするシート類固定器具用部品、又はシート類固定器具についての効果は０４４項や０１４７項で説明する。
【図面の簡単な説明】
【００３１】
【図１】本願発明の一例の側面図
【図２】本願発明の一例の側面図
【図３】図１で示す本願発明を二つ折りにした一例の側面図
【図４】本願発明の一例の側面図
【図５】本願発明の一例の側面図
【図６】本願発明の一例の正面図（基材が穴を備えた状態）
【図７】本願発明の一例の側面図（画鋲を補助部材に嵌めこむ手段の一例）
【図８】図７の本願発明１を掲示板１３に固定してシート類１０を固定した側面図
【図９】本願発明の一例の側面図
【図１０】図９を用いた本願発明の一例の側面図
【図１１】本願発明の一例の側面図
【図１２】図１１を用いた本願発明の側面図
【図１３】本願発明の一例の背面図（補助部材４に穴１５を備えた形態）
【図１４】本願発明の一例の４種類の背面図（補助部材４にスリット１６を備えた形態）
【図１５】補助部材４にスリット１６を備えた本願発明の一例の背面図及び画鋲
【図１６】補助部材４にスリット１６を備えた本願発明の一例の背面図
【図１７】補助部材４に複数(５個)の穴１５を備えた本願発明の一例の背面図
【図１８】画鋲を３個用いた場合の本願発明の一例の側面図
【図１９】本願発明の一例の側面図
【図２０】本願発明の一例の側面図
【図２１】本願発明の一例の側面図
【図２２】本願発明の一例の側面図
【図２３】本願発明の一例の側面図
【図２４】本願発明の一例の背面図
【図２５】本願発明の一例の側面図
【図２６】本願発明の一例の側面図
【図２７】本願発明の一例の背面図
【図２８】本願発明の一例の側面図
【図２９】本願発明の一例の側面図
【図３０】本願発明の一例の側面図
【図３１】複数の基材２ａ、２ｂ、２ｃを用いた本願発明１の側面図
【図３２】本願発明の一例の側面図
【図３３】本願発明の一例の側面図
【図３４】本願発明の一例の側面図
【図３５】本願発明の一例の側面図
【図３６】本願発明の一例の側面図(３種類を記載)
【図３７】本願発明の一例の側面図
【図３８】本願発明の一例の側面図(a)および（ｂ）
【図３９】本願発明の一例の側面図
【図４０】補助部材４の形態の一例を示す補助部材４の背面図
【図４１】補助部材４の形態の一例を示す補助部材４の正面図
【図４２】本願発明の一例の側面図(a)および正面図（ｂ）
【図４３】本願発明の一例の側面図(a)および正面図（ｂ）
【図４４】本願発明の一例の側面図
【図４５】図４４で示す本願発明の使用における側面図
【図４６】本願発明の一例の正面図(a)および背面図（ｂ）
【図４７】図４６で示す本願発明の使用時の側面図
【図４８】本願発明の一例の正面図(a)および背面図（ｂ）
【図４９】図４８で示す本願発明の使用時の側面図
【図５０】本願発明の一例の正面図(a)および背面図（ｂ）
【図５１】図５０で示す本願発明の使用時の側面図
【図５２】シート類固定器具としての本願発明の一例の側面図。
【図５３】シート類固定器具としての本願発明の一例の側面図。
【図５４】図５２、５３で、基材２が窪み穴２２や、補助部材４、爪２３を備えた側面図
【図５５】基材２に突起物１９を備えさえた本願発明の一例の側面図。
【図５６】図５５の基材２に突起物１９を備えさえた本願発明の一例の折り返した側面図。
【図５７】本願発明の一例の側面図。
【図５８】図５７における本願発明の正面図
【図５９】本願発明の(a)側面図(b)正面図(c)背面図(d)使用時の側面図
【図６０】本願発明の一例の背面図
【図６１】本願発明の一例の側面図
【図６２】本願発明の一例の側面図
【図６３】本願発明の一例の側面図
【発明を実施するための形態】
【００３２】
以下、本願発明シート類固定器具用部品及び、本願発明シート類固定器具部品を用いて実現するシート類固定器具の両方を本願発明１と称して実施例を説明する。説明の順序として、まず実際にシート類固定器具として使用する場合の実施例を先に例示し、実施例５以降に本願発明シート類固定器具部品の一例を示す。
【００３３】
実施例では、本願発明１は基材２が磁石体３を備えた形態を用いて説明するが、実際は基材２が磁石体３を備えさせることが出来る機能があれば良い。その機能については実施例５以降で説明する。実施例においては基材２が備える磁石体３は単数であるが磁石体３は複数でも良い。
【実施例１】
【００３４】
図１は、本願発明１の側面図である。基材２が一方面に磁石体３を備え、反対側の他方面に空間５を創り出す補助部材４が備えられている。前記空間５（基材２と補助部材４とで出来る空間５）は閉じられても開かれていても構わない、又、開閉が自由な構造でも構わない。図１では折曲部６が設けられており、この部分により前記基材は二つ折りにすることが可能となる。
【００３５】
図１で示す折曲部６は単数でも複数でも良く、単純な折り曲げ線を基材に備えさせる手段や、複雑に蝶番等の構造であってもその形態はどのようなものでも、基材２を折り曲げることが出来れば構わない。
【００３６】
図２では別の形態の本願発明１の側面図を示す。この場合は磁石体を備えた基材２´と、補助部材４を備えた基材２が合体部８により合体しており、これにより基材２´が備える磁石体３は折り曲げなくても最初から基材２の下方にシート類１０を固定するための接面９を実現させている。合体部８には差し込み式、ネジ式、溶接接合等の手段が考えられるが、ただ単に最初から中央を折り曲げたものでも構わない。つまりどのような手段であっても、又、合体部８が中央２であってもなくても基材２と基材２´の上部が合体することで、基材２と２´の下部接面９が磁力により固定されれば構わない。
【００３７】
図３は、図１で示す本願発明１を二つ折りにした側面図である。この図３では基材２と補助部材４の間の空間５には金属板７（又は磁石体３）が収められて脱落しないように閉じられている。前記空間５に金属板７を設けるに際して、この空間５に隙間を与えてそこから金属板（又は磁石体）７を差し込み脱着自在にしても良い。
【００３８】
図３で示すように補助部材４により基材２に空間５を備えさせることにより、前記空間に金属板７は収納され、基材表面側の接面９から異物（金属板７）は排除される。又、図３では補助部材４の外部には掲示板１３に貼り付ける為の粘着剤１４を備えさせている。更に、掲示板１３等への固定を強固にするために、基材には２個の補助部材４、４´が用いられ、両方の外側には粘着剤１４、１４´が備え付けられている。粘着剤１４を備えた補助部材４が基材に沿って長く形成されれば掲示板１３を貼りつける際の固定力が強まる。金属板７の代わりに磁石体３を用いれば、粘着剤が無くても金属のものには本願発明は磁力により固定することが可能となる。又、図３において基材２の中央付近にもう一つ磁石体３を設け補助部材４´が創る空間５´に金属板７を入れれば、複数個所で接面９が実現できる。
【００３９】
図４は、本願発明１において図１で示す折曲部６を基材２の中央に備えていない形態である。折り曲げる為に、基材２は可撓性（柔軟性）を備えている。又、図４では補助部材４の外面には粘着剤の代わりに針部１１を備えさせて掲示板１３に刺入固定する形態である。図４では前記針部１１は補助部材４自体の外面に備え付けても構わない。又、針部１１を備えた金属板７（画鋲等）を金属板の本体（頭部）を前記空間に収納し、前記針部１１を補助部材４の外部に出す形態を図５で示すが、図４においては針部を備えた補助部材４に金属板７を密閉して基材２に取り付けた（貼りつた）形態である。図４は、補助部材４が外面に針部１１を備えさせる。補助部材４が外面に針部１１を備えさせる一例として差し込み固定式を図４では示すが、、補助部材４の外面に針部１１を備えさせるにはネジ式、圧入式、突起及び受け皿式、ユニバーサルジョイント等どのような手段を用いても構わない。もちろん図３の様に補助部材４は複数でも構わない。
【００４０】
図５では針部１１を備えた金属板７（画鋲等）を前記空間５に収納し、前記針部１１を補助部材４の外部に出す手段の一例を示す。説明においては針部１１を備えた金属板７を画鋲として説明する。前記基材２の裏側（磁石体３の他方面）には画鋲頭部１２を設けて、補助部材４を用いて基材２に画鋲頭部１２を固定させることで、基材２と補助部材４によって実現する空間５に画鋲頭部１２がおさまり、補助部材４に設けられた穴から画鋲針部１１が外部に突出する。この場合、画鋲頭部１２のみならず画鋲針部１１も部分的に収納されていても構わない。又、図５では補助部材４には画鋲針部１１を貫通させるための穴１５が備えられている。
【００４１】
この場合、画鋲頭部を接着材や粘着剤等で固定する手段でも本願発明１の効果は変わらない。つまりあらかじめ磁力を通す機能を備えた基材に磁石体及び画鋲頭部を設けたことを特徴とするシート類固定器具を作成した場合においても本願発明１の課題は解決できる。更に、磁力を通す機能を備えた基材に磁石体及び磁力に貼りつくものを貼りつけたことを特徴とするシート類固定器具を作成した場合でも本願発明１の主旨は実現する。この形態である前記シート類固定器具の詳細は実施例９で説明する。
【００４２】
図５における本願発明１の場合、基材は可撓性を持つか折曲部を持つ事で折り返しが可能となる。この様に、図５においての本願発明１は、前記補助部材４を基材２に差し込むことで画鋲や補助部材４が基材２に固定するが、補助部材４や画鋲頭部の固定方法は接着や粘着での固定でも構わない。どのような手段であっても磁力を通す機能を備えた前記基材２に空間５を創り出す補助部材４を備えさせるか、磁力を通す機能を備えた基材に磁石体又は画鋲頭部を貼りつけることで本願発明１の課題は解決できる。もちろん、００６６項(図１０)等で示すように補助部材４は開閉が自由に出来るタイプでも、画鋲を完全密封した開封不可能な完全固定タイプのものでも構わない。磁石体３や画鋲頭部４の接着を強化させる爪部品や段差部品等を基材２に備えた場合は、前記爪部品や前記段差部品は本願発明１の補助部材４に含まれる。前記基材に磁石体及び画鋲頭部を設けたことを特徴とするシート類固定器具の詳細は実施例９で説明する。
【００４３】
この様に、本願発明１には様々な形態があるが、前記基材２に磁力を通す機能を備え付けることで、前記基材２が前記磁石体３に貼りつく事で、前記磁石体３と前記基材２との接面９によりシート類１０が固定される。この様に本願発明１を用いれば、先行技術でみられる基材２側の接面９に異物（刺入部材頭部等）の存在が排除され、シート類を刺し込む際に前記異物がシート類を刺し込むにおいて邪魔をすることはない。本願発明１は、前記異物を前記接面９から排除する事で、差し込み簡易作業によるシート類１０の固定を実現させることを可能とする（図８参照）。前述した実施例では、基材２が磁力を通す機能を備えなければ、前記磁石体３は基材２の接面９に貼りつく事は出来ず、シート類を固定することは出来ない。又、図４で示す補助部材４も四角の箱形を基材２に備えさせる場合は、基材２に貼りつける面も磁力を通す機能を備えなければならない。
【００４４】
図６を用いて基材２が磁力を通す為の手段の一例を説明する。図６においては、本願発明１の正面図を示す。基材２や補助部材４の膜厚が厚い場合、磁石体３は磁力を通すことが困難である。そのような場合は、基材２側の前記接面９の領域に穴１５を開けることで磁力を通す機能が増す。前記穴１５は単数でも複数でも良く、どのような形状でも構わない。又前記穴１５の代わりにスリット１６を備えさせた場合でも同じ効果がある（図４６参照）。
【００４５】
又、基材２側や補助部材４の前記接面９の領域部分を薄くすることにより磁力を通す機能が増す。もし、この領域を厚い基材２や厚い補助部材４で形成した場合、磁石体３の磁力は基材２の裏面にある空間５に備え付けられた金属板７に届かず、シート類の固定が困難になる。この様に、基材２や補助部材４の接面９の領域が磁力を通しやすい構造にしたり、磁力を通す素材を用いたりすることで、基材２は磁力を通す機能を備えることが可能となる。図１、２、３、５で示す補助部材４の場合は、基材２に設ける補助部材４の基材２側は開かれているので補助部材４の接面９側は基材２の外面そのもの（接面９側の補助部材４の外面は存在しない）なので、補助部材４の接面９の領域に磁力を通す機能を備えさせる必要はないが、図４で示す形態においては、四方を基材で囲んだ補助部材４なので、基材２側の補助部材４の接面９側の外面（外壁）は磁力を通す機能を備える必要がある。又、図１、２、３、においては、補助部材４の外面(図では右面)に、磁力を通す機能を備えさせることで、空間５に磁石体３を備えさせた場合、金属体(磁力に貼りつく掲示板、冷蔵庫のドア等)への固定が可能となり、本願発明１の効果は増すことが出来る。
【００４６】
図４では折り曲げる為に、基材２は可撓性を備えていると００２９項で述べたが、その素材としては、柔軟性を有した素材（合成樹脂材料、ビニール、ゴム材料、皮革、布、糸、厚紙等）を材質とすることが望ましい。又、図６で示すように、折り曲げる部分を細くしたり薄くしたりすることで、折り曲げが容易に出来るようになる。
【００４７】
図６では磁石体３や穴１５を備えた基材２部分は正方形であるが、基材２は円形や楕円形、三角、多面体等とどのような形でも構わない。又、基材２全体が磁力を通す機能を備えていなくても、基材２は接点９の部分が磁力を通す機能を備えていれば良い。つまり、補助部材４を取り付けられた空間５の近辺が磁力を通す機能を備えていれば良いという事になる。補助部材４の磁力を通す機能についても同様である。
【００４８】
又、磁石体３は小さくても強力なネオジム磁石が最適であると考えるが、磁力を備えていればどのような素材や形態であっても構わない。また磁石体３の数は、単数でも複数でも構わない。磁石体３の貼付位置は、基材２の外部でも内部でも、一方面でも両方面でも構わない。形状においても、平面ではなく球体、半円形、又は多角体にすることでシート類１０のスムーズな挿入固定が可能となる効果がある。
【００４９】
尚本願発明１の、図解説名における基材２は縦長長方形の板状であるが、基材２は横長であっても、また長方形でなく正方形や楕円形であっても構わないし、また、板状でなくとも棒状でも構わない。
【００５０】
さらに、基材２を透過性のあるものにすることで、外観を損ねないといった効果がある。図６の様に、基材２の折り返し部（この図では中央）を細く薄くすることで二つ折りがしやすくなる効果がある。
【００５１】
図２、図３においては、折曲部６や合体部８で二つ折りの状態になるので、柔軟性を有さない素材でもよい。基材２の素材そのものを金属にすれば、接面９に磁石体３を貼り付けることは可能だが、基材２の素材を金属にした場合は、外観を損ねる、コストが高い、重くなる等の欠点がある。又、基材２の接面９側に金属板７（又は磁石体７）を取り付けた場合、接面９に金属板７の異物が存在する。
【００５２】
次に、画鋲（刺入部材）を用いて使用する本願発明１について述べる。図７では刺入部材の一部（画鋲頭部１２）を空間５に収納出来る（出し入れが可能）形態の図を示している。又、図８では画鋲頭部１２を空間５に収納した使用例を示している。
【００５３】
本願発明１は磁力を通す機能を備えたことを特徴とする基材２の一方面に磁石体３を備えさせ、前記基材２に空間５を創り出す補助部材４を備えることで、画鋲頭部１２を図７で示す前記空間５に収納させることで、画鋲（刺入部材）を用いた場合でもその効果を発揮することが可能となる。
【００５４】
００４０項で述べた図５では、画鋲頭部１２を補助部材４により作り出された空間５に固定して、この空間５から画鋲頭部１２の取り外しが不可能な形態を示した。又、図７、図８ではＬ字型の補助部材４を基材２に備えさせものを示したが、以下においてはそれらと共に、他の形態の例を述べます。
【００５５】
まず、図７は補助部材４に画鋲針部１１を貫通させる事が出来る穴１５を備えさせている。この部分に穴１５を備えさせなくても画鋲針部１１が貫通できる素材で補助部材４を形成すれば同じ効果であるが、画鋲を貫通できない様な素材や厚みを補助部材４に用いた場合は穴１５が必要となる。どちらにしても、本願発明１を、画鋲を用いて使用する場合は、どのような手段であっても良いが、画鋲針部１１が補助部材４を貫通させなければならない。スリット１６を用いた貫通例は００７２項以降で説明する。
【００５６】
図７では、前記補助部材４の末端のベロ部分を外側に押し開き画鋲針部を穴１５に差し込ませて画鋲頭部１２を前記空間５に収納させる。前記補助部材４の末端のベロ部分には柔軟性のある素材を使用している。
【００５７】
この様にして画鋲頭部１２を前記空間５に収めた状態を図８で示す。使用に際しての説明を以下において行う。
【００５８】
図７では画鋲頭部１２の空間５への収納については００５５項で記載したが、図７の本願発明１はこのようにして前記空間５に画鋲頭部１２が収められた状態で基材２を二つ折りにして使用する。
【００５９】
図８で示すように、補助部材４の外面に突出した画鋲針部１１を用いて掲示板１３に差し込むことで、本願発明１は掲示板１３に固定される。
【００６０】
図８で示すように本願発明１の基材２を二つ折りにした場合、磁石体３と基材２の接面９の基材２側には画鋲頭部１２という異物が存在せず、接面９の基材２側は平面プレート状である。
【００６１】
前記接面９における基材２の部分は磁力を通す機能を備えているので磁石体３は画鋲頭部ではなく、前記基材２のプレート状の平面の基材２に固定される。つまり前記接面９における基材２の部分は磁力を通す性質があるので、磁石体３は基材２の裏面の画鋲頭部１２に引き寄せられてプレート状の基材２の接面に磁石体３は固定する。
【００６２】
このように本願発明１を用いた場合は、前記接面９の基材２側には先行技術にみられる画鋲頭部１２は基材２側の接面９の表面には存在せず、シート類１０を押し込む基材２面はプレート状となる。これにより、本願発明１の主旨であるただ単にシート類１０を押し込む（差し込む）だけの簡易作業でシート類１０を固定することが可能となる。
【００６３】
先行技術では、画鋲頭部１２が邪魔になり、引っかかるのでその都度、開閉してシート類１０を固定しなければならない不便さがあった、本願発明１の効果によりこの課題（シート類１０の簡易固定）は解決される。
【００６４】
００５６項（図７）では、前記補助部材４の末端のベロ部分を外側に押し開く手法を述べたが、以下において、画鋲頭部１２を前記空間７（基材２と補助部材４が作る空間７）に収納させる手法について記載する。
【００６５】
図９は、補助部材４に穴１５と折曲部６を備えさせた形態の本願発明１である。
【００６６】
前記穴１５に画鋲針部１１を貫通させ、折曲部を折り曲げることで、画鋲頭部１２が前記空間５におさまり、図１０の状態となり、前記した図８における使用が可能となる。
【００６７】
又、図１１は補助部材４に穴１５と折曲部６、６´を二か所に取り付けた例である。更に補助部材４の先端は基材２に固定出来る機能を備えさせている。又基材２面に固定させる補助部材４は画鋲頭部を収めるような形態（一例として画鋲頭部１２を収納する窪み穴を備える）を取るものもある。これにより画鋲頭部１２は空間５内で安定する。
【００６８】
前記補助部材４の先端を基材２に固定する手段の一例を図１１で示すが、前記基材２の裏面又は前記補助部材４´の末端に受け穴１８を備えさせ、又、補助部材４の先端に突起物１９を備えさせ、前記受け穴１８に前記突起物１９を嵌めこむことで、画鋲頭部１２は前記空間５内で安定し、この手法により実現する前記空間５は強固に四方に固定される。
【００６９】
図１２において基材２を折り返した際に実現する接面９の部分は図１１で示す基材２面に加え補助部材４´部分は磁力を通過する機能を備えなければならない。この様に補助部材４を四方に固定することで補助部材４は安定する。基材２への補助部材４の端部の固定手段は上記に限らずどのような手段であっても構わない。
【００７０】
以上、本願発明１発明の形態の一例と使用について基材２の正面図と側面図を用いて説明しました。以下においては、背面図を使って基材２の裏面に備えられる補助部材４の一例を示します。
【００７１】
図７、図１０、図１２で示す補助部材４の外面背面図は図１３で示す補助部材４が穴１５を一つ持つ形態である。この穴１５は図１３で示す単数ではなく図１７で示す複数でも構わない。好みの穴１５に画鋲針部１１を差し込めばよい。又、穴１５が無くても補助部材４の外面を画鋲針部１１が貫通できる素材や厚みであれば穴１５と同じ効果があるという事は言うまでもない。
【００７２】
以下においては、補助部材４が穴１５ではなく、スリット１６を備える形態について説明する。又、図７、図１２においても補助部材４が備えるのは穴１５ではなくスリット１６でも本願発明１の効果は変わらない。
【００７３】
図１４は補助部材４の外部に開口しているスリット１６ (図１４、図１５はＣ型スリットの形態である)の一例であるが、スリット１６に加えて、基材２と補助部材４の間に画鋲頭部を挿入出来る隙間１７を備えさせることで画鋲頭部１３を前記隙間１７に差し込み前記空間５にスライドさせれば簡単に画鋲頭部１２は空間５に収納する事が可能となる。  
【００７４】
この場合の背面図を図１４で示す。図１４に示す形態においては、基材２と補助部材４が作り出す空間５に画鋲頭部１２を押しこめる隙間１７を備えさせ、又、補助部材４の外面には外部に開口しているスリット１６を備えさせたことで、前記スリット１６に画鋲針部１１を嵌めこみ、前記隙間１７に画鋲頭部１２を押し込むだけで、スムーズに横滑りして、画鋲頭部１２は前記空間５に収納される。もちろん、画鋲針部１１は補助部材４の外部に突出する。
【００７５】
図１５の実施例では、隙間１７は左方の一面にしか存在させていないが、図７で示したようにＬ字型の様に他方面に隙間があっても、このスリットによる効果は変わらない。
【００７６】
又、図７では、補助部材４の末端４ｂに柔軟性を備えさせて持ち上げて使うが、この様に持ち上げて使う場合は図１６で示すようにスリット１６が補助部材４の外部に貫通していない（Ｃ型ではない）形態でも構わない。しかし、補助部材４が全く柔軟性を備えていない場合はスリット１６が補助部材４の外部に貫通するスリット１６（Ｃ型スリット）
であることが望ましい。
【００７７】
又、スリットを備えることで、画鋲針部１１がスリット１６内で自由に動かせるので、前記空間５における画鋲頭部１２の位置を好みの位置に設定出来る。
【００７８】
図１６では、補助部材４の外部に開口していないスリット１６を示す。外部に開口していない前記スリット１６の端から画鋲針部１１を入れながら画鋲頭部１２を前記空間５に押し込む手法も取ることが可能である。
【００７９】
この場合は、最初にスリット１６の端部に画鋲針部１１を通して（押し入れて）、画鋲頭部を隙間１７に挟み込みスライドさせて、画鋲頭部１５を空間５内部に収納させる。スリット１６内で画鋲頭部の収納は自由なので空間５内の好みの位置に画鋲頭部１２を固定できる。本願発明の全てのスリット１６は縦長、横長、ストレート、カーブ等どのような形態でも構わない。
【００８０】
前記スリット１６は同じ広さでも構わないが、前記スリット１６の端部は広い方が画鋲針部１１を通しやすいが、それ以外はあまり広くない（狭める）方が、画鋲針部の安定が良い。つまりスリット１６の切り口が狭い方が、画鋲針部１１がスリット１６の両側に挟まれるので、画鋲針部１１の安定が強化されるという事である。
【００８１】
又、基材２と補助部材４で形成される空間５や隙間１７は狭い方が、画鋲頭部１２が空間５内で安定固定される。このような手段を用いずとも本願発明１の主旨（シート類１０を押し込むだけの簡易取り付け）は達成するが、このような手段を加えれば、画鋲針部１１や画鋲頭部１２を空間５内で安定し、本願発明１の使用時において、掲示板１３への固定においてぐらつきを解消する等、本願発明１を掲示板１３に固定する際の一助になる。
【００８２】
又、補助部材４を長くすれば空間５は長くなり、複数の画鋲の挿入が可能となる。スリット１６も長くすれば、複数の画鋲頭部１２が前記空間５に収納され、針部１１も複数となり掲示板１３の固定力が強くなる。
【００８３】
図１７では図１３、１４，１５，１６とは別の形態の補助部材４の背面図を描く。図１７では前述したスリット１６の代わりに、穴１５をａ〜ｅと複数備えさせたものである。この様に、基材２と補助部材４が創る空間５には単数ではなく複数の画鋲頭部１２を備えさせても構わない。
【００８４】
図１８は  穴１５ａ、１５ｂ、１５ｃと補助部材４に穴１５を３つ備えさせ、画鋲頭部１２ａ、１２ｂ、１２ｃを３つ空間５に備えさせた実施例を示している。これにより本願発明１は３か所に針部１１を備えるので、掲示板１３への固定が強固になる。
【００８５】
更に、磁石体３を１２ａ、１２ｂ、１２ｃの好みの位置に取り付けられるので、シート類１０の全面に出る基材２ののりしろ部分２´の調整が可能となり、シート類１０の美観を損ねず、シート類１０の大きさにあわせて、シート類１０の前面を露出させる事が可能となる。
【００８６】
又、磁石体３を複数にしたり、複数の画鋲頭部１２ａ、１２ｂ、１２ｃに貼りつく大きさにしたりした場合はシート類の固定が強化される。
【実施例２】
【００８７】
００３４項から００８６項の実施例１においては、基材２の一方面に磁石体３を備えさせ、基材２の他方面に補助部材４を備えさせる形態を用いて説明した。実施例２では、基材２の一方面に磁石体３を備えさせ、前記磁石体３と同一面に補助部材４を備えさせる形態について説明する。
【００８８】
図１９は、基材２に磁石体３を備え、その同面に補助部材４を備え付けたものである。００４０項の図５の類似形態である。
【００８９】
その差異は、補助部材４が基材３の磁石体３の同一面に備えるか、他面（裏面）に備えるかというものである。この差異によって本願発明１の主旨（シート類１０を押し込むだけの簡易取り付け）の効果が変わるものでは無い。
【００９０】
図１９では画鋲針部１１を、磁石体３を備えた基材２の同一面から付き差し、その同一面に存在する画鋲頭部１２を補助部材４により実現する空間５に閉じ込めるものを示している。
【００９１】
図１９では補助部材４は受け穴１８と突起物１９によって固定され、画鋲頭部１２は補助部材４により基材２の面から隠される（補助部材４の裏面になる）。
【００９２】
図１９では前記補助部材４は磁力を通す機能を備えているので、補助部材４の裏面にある画鋲頭部１２と磁石体３は補助部材４を間に挟んで固定させることが可能となる。先に接着剤等で画鋲頭部１２を基材２に固定させてから、補助部材４を取り付けても良い。
【００９３】
この場合は、本願発明１を二つ折りにすれば、磁石体３が貼りつく接面９は基材２ではなく補助部材４になる。図１９で示すように前記補助部材４がプレート状なので磁石体３と補助部材４の間に、ただ単にシート類１０を押しこめばシート類１０の固定は完了するので、本願発明の主旨は達成出来る。
【００９４】
又、図１９では補助部材４の下方を伸ばし末端をベロ状にしている（図１９ではやや外側にそる、真っ直ぐでも内側に沿っても良い）。この形態により本願発明１の主旨（ただ単にシート類１０を押しこめばシート類１０の固定が完了）はより一層達成出来る。
【００９５】
実施例１での基材２や実施例２での補助部材４の磁石体３との接面９は、プレート状態であれば本願発明１の主旨は達成できるが、前記接面９が御椀型、半円形、波打ち型等の形態やスロープ状等で形成すれば、より一層本願発明の主旨は達成出来る。前記接面はこのように平面でなくても平面以外の様々な形態を取ることでより一層その効果を高めることが可能となる。
【００９６】
又、補助部材４に限らず、実施例１においては図１９で示す補助部材４の様に基材２の端部を長くし(ベロ状の基材２０)、更に内側又は外側に反る技法を用いれば、本願発明１の効果を高めることは言うまでもない。
【００９７】
図２０では、画鋲頭部１２を収納する補助部材４はなだらかな半円形をしている。この様に接面９においては、その接面９における基材２（実施例１）や補助部材４（実施例２）の形状を変えれば本願発明１の効果は高まる。又、磁石体３の形状を変えることでもその効果が高まることについては００４８項で述べたとおりである。
【００９８】
図２１は、実施例１における図７の類似形態である。その差異は、補助部材４が基材３の磁石体３の同一面に備えるか、他面（裏面）に備えるかというものである。補助部材４はプレート状でも、御椀型、半円形、波打ち型等の形態でも構わない。もちろん実施例１での基材２の接面９の領域や基材２自体をプレート状、御椀型、半円形、波打ち型等の形態でも構わないのは言うまでもない。使用についての詳細は００５５項以降で述べているのでここでは控えさせて頂きます。
【００９９】
図２２はＬ字型の補助部材４を図２１の逆につけたものである、この様にＬ字型の補助部材４は基材２の中央部付近にその端部を固定させるだけではなく、基材の下方部や側面部にその端部を取り付けても、又磁石体と同一面でも他方面でも本願発明１の効果は変わらない。
【０１００】
又、補助部材４はＬ型でなく、どのような形態でも良く、基材２と補助部材４が創る空間５は閉じられていても良く、又、一方面に限らず多方面に開かれている状態でも本願発明１の主旨は達成できる。
【０１０１】
図２３は５角形の磁石体３ａ、３ｂの２個を取り付けた基材２にＬ字型の補助部材４を備えさせ空間５を実現させたものである。前記補助部材４は基材２の中央に三角形の頂点を描くようなスロープ状を形成している。
【０１０２】
図２４は図２３の裏面を示すが、画鋲針部１１を差し込む穴１５は複数（３個）設けている。画鋲針部１１を好きなだけ（この場合は最高３個）前記穴１５ａ、１５ｂ、１５ｃに差し込むことで画鋲頭部１２を前記空間５に画鋲頭部１２を３個設けさせることが可能となる。
【０１０３】
図２３図２４を折り返した状態を図２５で示すが、磁石体３ａは画鋲頭部１２ａに、磁石体３ｂは画鋲頭部１２ｂの磁性でスロープ補助部材４の表面に貼りつく事が出来る。基材２´の部分は前面に露出するので、この部分が邪魔であれば、磁石体３ａは画鋲頭部１２ｂに、磁石体３ｂは画鋲頭部１２ｃに補助部材２を挟んで磁力で固定すれば露出部分を調整することが可能となる。図２５ではこの状態を示している。
【０１０４】
又、磁石体３を１個にして、画鋲を複数（４個等）備えさせる形態にすれば、４か所の画鋲頭部１２の好みの頭部に磁石を固定できるので、基材２がシート類１０の前面に出る露出をかなり調整出来る。又、本願発明１は複数（４個）の針部１１を備えた場合は掲示板１３等への固定が補強される。又、シート類１０を固定する際に接面９の固定力を増したい場合は、球形の磁石体３の接面９の領域を面状にしたり、補助部材４の形状に添うようにしたりする手段がある。
【０１０５】
図２６は球体の磁石体３ａ、３ｂの２個を取り付けた基材２にＬ字型の補助部材４を備えさせ空間５を実現させたものである。前記補助部材４は基材２の末端からはセリ出て湾曲しているが、基材中央部から基材末端に三角形の頂点を描くようなスロープ状の形態であっても良い。又、補助部材４の端部は基材２端部より長く反り返っている。この端部により本願発明１の効果は増す。
【０１０６】
図２７は図２６の背面図を示す。図２７で示すように基材２の背面端部に開口したスリット１６を備えている。前記スリット１６から画鋲針部１１を差し入れて、図２６の隙間１７から画鋲頭部１２を押し込む。前記画鋲頭部１２を３個押し込めば、図２５と同様な状態となり、画鋲頭部１２は空間５の中に３個収まる。穴１５で空間５内に画鋲頭部１２を設けることは可能であるが、穴１５ではなくスリット１６を備えた場合は画鋲頭部１２を下方から押し込みやすい利点がある。前面に出る基材２の露出部分の調整手段については、０１０３項で述べた通りである。
【０１０７】
この様な複数の穴１５やスリット１６を基材２に備えさせる手法により基材２がシート類１０の前面に出る露出部分を少なくして美観を整える為の解決手段は実施例２のみならず、実施例１においても補助部材４に複数の穴１５やスリット１６を備えさせることで同じ効果が得られる。
【０１０８】
図２８は補助部材４をスロープ状に形成し、又、補助部材４の端部にベロ状の基材２０を備えさせたものである。この補助部材４と基材２が創る空間５には金属板７又は磁石体３が備えられている。このスロープやベロ状の基材２０により、本願発明の主旨であるシート類１０の簡易差し込みの効果は高まる。金属板７の代わりに空間５に磁石体３を備えさせれば金属体への磁力による固定が可能となる。
【０１０９】
この状態で、基材２の背面に両面テープや粘着ジェル等を備えさせれば、画鋲針部が刺さらないガラスやタイル等の壁面への固定が可能になる。この様に本願発明は画鋲を使わなくてもその効果を発揮できる。
【実施例３】
【０１１０】
実施例３においては、磁石体３と補助部材４が基材２の同一面にある場合の実施例２とは異なった使用例について説明する。実施例３における本願発明１ではシート類１０を押し込む際の接面９，９´に画鋲頭部１２だけではなく磁石体３も存在しない形態について説明する。
【０１１１】
図２９は基材２の同一面に磁石体３と補助部材４を備えた本願発明１の形態である。実施例１、実施例２においては、磁石体３を基材２の内側に折り曲げたが、実施例３においては磁石体３を基材２の外側に二つ折りにした形態を示す。
【０１１２】
図２９では、基材２の右外側に補助部材４が、基材２の左外側に磁石体３が設けられている。この本願発明１では補助部材４の裏側の接点９ａと、磁石体３の裏側の接点９ｂが磁力により固定されることで、シート類１０をこの間に挟んで固定することが出来る。
【０１１３】
この、接面９には画鋲頭部１２（接面９ａ）のみならず磁石体３自体（接面９ｂ）側も異物が排除され、基材２により接面９ａ、９ｂの両面がのプレート状になるので、本願発明１の主旨であるただ単にシート類１０を押し込むだけでシート類１０の固定が完了する。
【０１１４】
この際、基材２を、磁力を通し且つ摩擦係数の少ない（セルロイドの様に滑る）素材を用いれば本願発明１の効果が更に高まる。又、基材２の端部を反りかえすことで、より一層、本願発明の効果が増す。
【０１１５】
この場合、シート類１０の固定力を強める為、図３０で示すように複数の磁石体３、磁石体３´、及び補助部材４、補助部材４´を備えている。これによりシート類１０を固定する接面９及び接面９´が複数（２箇所）存在し、この２箇所の接面９、９´の固定により、シート類１０は強固に固定される。このように、接面９を複数設ける手法で、固定は強化される。画鋲の代わりに、補助部材４、補助部材４´に金属板７を入れれば、磁石体３，３´を用いて金属ボード等への貼り付け固定が出来る。
【０１１６】
磁石体３及び補助部材４を幅広く備えさせた場合、接面９の面積は広がりシート類１０の固定は強化される。このように磁石体３の大きさや形状をどのようにしても、本願発明の主旨（ただ単にシート類１０を押しこめばシート類１０の固定が完了）は達成できる。更に固定も強化する。
【０１１７】
又、基材２や磁石体３や補助部材４に模様やキャラクターを備えさせれば美的アクセントがかもしだせる。そして、磁石体３や補助部材４や基材２に挟持部分、又はＵ字型、Ｃ字型等のスリットを備えさせれば名前のプレート等を挟むことが可能となる。これについては実施例９で述べる。前記シート類１０が小学校の絵画等である場合には、名前のプレートが挟み込める。絵画等の大きいシート類においては本願発明１を複数用いれば良い。
【実施例４】
【０１１８】
実施例４では、複数の基材２を重ねあわせた本願発明１について述べる。
【０１１９】
図３１では、基材２ａ、基材２ｂ、基材２ｃが連なっており、磁石体３ａを備えた基材２の図における右端には補助部材４が備えられ、その空間５には画鋲頭部１２が備えられている。
【０１２０】
そして、磁石体３ｂを備えた基材２ｂが基材２ａに重ねられて固定されている。更に前記基材２ｂには磁石体３ｃを備えた基材２ｃが重ねられて固定されている。この様に複数の基材２ａ、２ｂ、２ｃ、を用いれば、複数のシート類１０を本願発明１に取り付けることが可能となる。複数の基材２を用いた場合でも前記実施例１、実施例２、実施例３で述べた様々な手法を取り入れることは可能である。
【０１２１】
この様に基材２が単数ではなく複数であっても、本願発明１の請求項１における「基材に補助部材を設け、前記基材及び/又は前記補助部材に磁力を通す機能を備えさせ、前記補助部材により前記基材が空間や隙間を保持することを特徴とするシート類固定器具」は、その主旨である「ただ単にシート類１０を押し込むだけで固定が出来る」を実現する事が出来る。
【０１２２】
勿論、基材２ｂや基材２ｃは磁石体３の代わりに磁石体３を設けることが出来る空間５を創り出す補助部材４を備えた形態でも、その部分に磁石体３を設ければ構わない。前記空間５には画鋲の代わりに磁石体３や金属板７を設けても良い。
【０１２３】
基材２ａ、２ｂ、２ｃを合体させる(重ねる)手段としはスライド式や、突起物及び受け皿等を用いた脱着可能にすれば、用途に応じて単体でも複数でも使用出来る。基材２ａ、２ｂ、２ｃを合体させる手段はどの様なものでも良い。また、基材２ａ、２ｂ、２ｃに複数の磁石体３や複数の補助部材４を備えさせても構わない。
【０１２４】
実施例１、２、３、４では実際に使用する一例について、磁石体３、金属板７、画鋲頭部１２を基材に設けた状態（シート類固定器具としての使用例）について述べた。実施例５においては、本願発明１のシート類固定器具部品の形態について説明する。
【実施例５】
【０１２５】
図３２では基材２に取り付ける補助部材４は複数（４個）の形態で説明するが、基材２に設ける補助部材４は単数でも構わない。又、補助部材４は基材２の両面や他方面でも本願発明１の主旨は達成できるが、実施例５では基材２の一方面に補助部材４を複数設ける形態の一例を示す。図３２を見て頂きたい。図３２では基材２と補助部材４ａ、４ｂ、４ｃ、４ｄが存在するだけで、実施例５で示す図３２の基材２や補助部材４には、実施例１〜４で示す磁石体３、金属板７、画鋲の存在がない。
【０１２６】
図３２では補助部材４は４個であるが、補助部材４の数はいくらでも構わない。０００３項で述べた先行技術特許第５６１２７８５号広報では基材２は必ず磁石体３を備えていなければならないが、本願発明１には磁石体３を備えさせる機能があるので、用途に応じ、好みの補助部材４の空間５や隙間に磁石体３を後に設ければ良い(脱着自由自在)。  
【０１２７】
図３３では、補助部材４ａに磁石体３を設け、補助部材４ｂには画鋲頭部１２が収納される。この磁石体３や画鋲頭部１２は補助部材４により密封固定されても良いが、実施例５では取り外し可能に出来る補助部材４を用いる。
【０１２８】
図３３では、補助部材４の２箇所は磁石体３および画鋲１２が設けられるが、補助部材４ｃ、４ｄには何も設けられていない。
【０１２９】
図３２、図３３、図３４形態では、画鋲頭部１２や磁石体３は補助部材４ａ、４ｂ、４ｃ、４ｄの４か所の好きな所を選択して設ける（自由配列）ことが可能となる。この様に磁石体３、金属板７、画鋲頭部１２を基材２の好きな所を選択して設けることが可能な本願発明１の利点を下記に述べる。尚、前記補助部材４ａ、４ｂ、４ｃ、４ｄにプレートや立体物を選択して取り付ける手段と効果については実施例９で説明する。
【０１３０】
図３３における本願発明１を折り返したものを図３４で表す。この場合は基材２を折り返した場合に前面に出る基材ののりしろ２´が少ないので接面９に固定されるシート類１０の美観を損ねない。
【０１３１】
図３５では補助部材４ａ、４ｂに、画鋲頭部１２ａ、１２ｂを入れ、又、４ｃ、４ｄに磁石体３、３´を入れたものを示す。掲示物は２点の接面９ａ、９ｂにより強固に固定される。又、補助部材４ａ、４ｂ、４ｃ、４ｄの全てに磁石体３を設けるか、又は一部を金属板７や画鋲を設けるかは使用状況によって決めれば良い。
【０１３２】
図３６では、磁力を通す機能を備えた基材２に磁力を通す機能を備えた補助部材４を２箇所に設けた場合について述べる。図３５-ａには２個の補助部材４ａ、４ｂが基材２に設けられているが、その補助部材４ａ、４ｂの空間５ａ、５ｂには何も設けられていない。この状態が、請求項１に述べられている。
【０１３３】
図３６-ｂでは補助部材４ａの空間５ａには画鋲頭部１２が設けられ、補助部材４ｂの空間５ｂには磁石体３が設けられている。この様に空間５内の設定は多種多様に出来る。図３６-ｂの配置で磁石体３と画鋲頭部１２を空間５に設ける選択をした場合は、画鋲針部１１が突き刺せる掲示板等に本願発明１を使用する場合に適している。
【０１３４】
図３６-ｃでは補助部材４ａ、４ｂの空間５ａ、５ｂには磁石体３ａ、３ｂが設けられている。この様に空間５内の設定は取り外しが自由自在なので多種多様に設定が出来る。図３６-ｃの配置で空間５ａ、５ｂに磁石体３を設ける選択をした場合は、金属体に本願発明１を貼り付けて使用する場合に適している。もちろん片側の補助部材４´に磁石体３ｂの代わりに金属板７を設けても良い。挟み込んで固定すれば本願発明１の主旨は達成できる。
【０１３５】
図３７では空間５ａ、空間５ａ´の２つの空間を持つ補助部材４ａと、単体の空間５ｂを備える補助部材４ｂを基材２に設けた形態を示す。図３７では補助部材に何も備えさせていないが、図３８-aでは、前記空間５ａに磁石体３を備えさせ、空間５ｂに磁石体３又は金属板７を備えさせている。図３８-aでは、空間５ａ´を板、紐、糸、布、厚紙等に挟み込んで本願発明１を固定することが出来る。又風呂場のタイル等の水気の多い所には粘着ジェルを空間５ａ´に絡ませて本願発明にタイルに固定させても良い。板、紐、糸、布、厚紙等に挟み込んで本願発明１を使用する場合は補助部材４ａの先端の４α、４βを長くすればしっかりと固定が出来る。ただ単に、空間５ａ´に前記板、紐、糸、布、厚紙等を挟み込むだけで本願発明１の固定が完了する。空間５ａ´に挟み込めるものであればどのようなものでも本願発明１は固定が可能となる。又、補助部材４の４γの部分を蝶番やバネ等で固定する機能を備えさせても良い。又、図３８で空間５ａに磁石体３を刺し込んだ場合、補助部材４ａの外側（４βの一面）に金属板７や磁石体３を設けた場合、空間５ａにある磁石体３と前記補助部材４βの一面は磁力により貼りつき固定されるので、この接面９´に前記板、紐、糸、布、厚紙等に挟み込めば本願発明１の前記板、紐、糸、布、厚紙等への固定は完了する。
【０１３６】
更に、図３８-bでは前記二股の補助部材４ａを三又にして、空間５ａに磁石体３又は金属板７及び三又構造で外側に新たに出来る空間５δに磁石体３又は金属板７を備えさせた形態を示す。図３８-bでは空間５ａ´には何も挟まない。補助部材４は磁力を通す機能を備えるので空間５ａ´は磁力により両側が貼りつき閉じられる。この様な磁力で前記空間５ａ´が貼りつき固定をする機能を利用すれば、前記板、紐、糸、布、厚紙等を前記空間５ａ´に挟み込む際の固定が強化される。又、前記空間５ａ´に両面テープ等の粘着剤を施しても前記板、紐、糸、布、厚紙等を前記空間５ａ´に挟み込む際の固定が強化される。
【実施例６】
【０１３７】
実施例６では前記実施例１〜５で示さなかった補助部材４の形態の一例を示す。この様に補助部材４には様々な形態があるが実施例６ではその一例を示す。
【０１３８】
図３９では基材２に備えられた補助部材４は外部に開口している（Ｌ字型ではない）。この様にすれば、補助部材４には基材２や画鋲を刺す穴や画鋲を刺しこめる素材等、画鋲を刺し込むことが出来る機能は必要ない。画鋲頭部１２を前記補助部材４嵌めこめば画鋲針部１１は外部に露出する。
【０１３９】
図３９−ａ、図３９−ｂには補助部材４の空間５には何も設けていないが、図３９−Ｃでは、空間５に画鋲頭部４を、空間５´は磁石体３を備えている。
【０１４０】
この様に外部に開口する図３９の補助部材４の様に補助部材４には様々な形態があるが、その一例としては、補助部材４の端部を上下や左右をかぎ型にしてそこに画鋲頭部１２や磁石体３や金属体７を押しこむ。この形態を図４０で示す。図４０では上下左右の四方にかぎ状の爪があるが、この爪は一か所のみの単数や、上下のみや左右のみの２箇所、又は５箇所、６箇所以上の複数であっても、磁石体３、金属板７、画鋲頭部１２を設けることが出来れば構わない。
【０１４１】
又、図４１で示すように補助部材を円形にして縁をベロ状の基材２０にして、そこに画鋲頭部１２や磁石体３や金属体７を押しこめばよい。ベロ状の基材２０は柔軟性（可撓性）がある方が望ましい。
【０１４２】
この様に補助部材４が創りだす空間５には様々な形態がある。
【実施例７】
【０１４３】
以上、補助部材４を基材に備えさせることで、本願発明１の主旨が達成できる実施例を述べた。実施例７では、本願発明１の請求項２で記載する「磁力を通す機能を備えた基材に、窪み穴の空間を設けたことを特徴とするシート類固定器具」について、その形態を記載する。
【０１４４】
図４２では、基材２に磁石体３、金属板７、画鋲頭部１２を設ける際に前記基材２に前記磁石体３、前記金属板７、前記画鋲頭部１２の固定を可能とさせる機能を持つ補助部材４αを備えさせた図である。この補助部材４αにより前記磁石体３、前記金属板７、前記画鋲頭部１２を基材２に設けることが出来る。補助部材４αは図４０の先端部分の鍵型やＬ字型、又は図４１で示すベロ状の基材２０でも構わない。図４２-ａは側面図、図４２-ｂは正面図を示す。基材２に窪み穴２２を設けて、窪み穴２２の上下に爪状の補助部材４αを備えさせている。窪み穴２２の底面には空気を通す穴１５が設けられている。前記穴１５により磁石体３等を押し込む際に空気が抜けるので空気圧力による反発を解消することが出来る。又、穴１５を大きくしたり、幅の広いスリット１６を窪み穴２２の底部（基材２）に備えたりした場合は、基材が磁力を通す機能を増すことが出来る。
【０１４５】
図４３では、基材２に磁石体３、金属板７、画鋲頭部１２を設けることが出来る図４２で示す補助部材４αが備えられていない。ただ単に基材２に窪み穴２２が２箇所設けられているに過ぎない。この窪み穴２２の外枠が磁石体３、金属板７、画鋲頭部１２を嵌めこみ収納固定できる場合は、前記窪み穴２２の外枠が補助部材４αとなる。前記窪み穴の外枠を補助部材と見なすが、前記窪み穴の外枠のみでは磁石体３等の固定が安定しない場合は、下記の様に手段による補強が必要となる。
【０１４６】
この場合（前記基材２に磁石体３等の固定が安定しない外枠補助部材４を設けた窪み穴２２を備えた本願発明１）は、粘着剤、接着剤、両面テープ等を用いて磁石体３、金属板７、画鋲頭部１２を前記窪み穴２２に固定することで、磁力を通す機能を持つ基材２に記磁石体３、前記金属板７、前記画鋲頭部１２の基材に対する固定が安定する（固定することが出来る）。前記基材２に磁石体３等の固定が安定しない外枠補助部材４を設けた窪み穴２においては、前記粘着剤、接着剤、両面テープ等を用いて磁石体、又は磁力に貼りつく性質のもの又は刺入部材又はプレート又は立体物を設けることが出来る窪み穴（補助部材４）を、磁力を通す基材２が備えたことになる。
【０１４７】
図４２、図４３では、磁石体３、金属板７、画鋲頭部１２を固定する為に押し込む際に、空気が窪み穴に残留し、空気の圧力で固定が押し返される。これを防ぐために空気を通す穴１５を基材２に設けている。もちろん、この空気を通す穴１５は実施例７のみではなく、本願発明１の全てにおいて備え付けても構わない。又、この空気を通す穴１５は単数でも複数でも良く、００４４項で述べた図６の様に空気を通す穴１５により基材２は磁力を通す機能を増す効果もある。もちろん穴１５の代わりにスリット１６でも構わない。
【０１４８】
図４４では、基材の一部を御椀型にして丸みを持たせた本願発明１を示す。窪み穴２２、２２´を備え、窪み穴２２には画鋲頭部１２、窪み穴２２´には磁石体３を備えている。
【０１４９】
図４４で示す本願発明１を二つ折りにして、磁石体３と画鋲頭部１２が御椀型の基材を接面９としてシート類１０を固定させた使用例を図４５で示す。この御椀型の接面により、本願発明１の主旨（ただ単にシート類を押し込むだけで固定完了）の効果は増す。お椀型のみならず、基材２が半円形、球形、多角形等を備えた場合でも同様の効果がある。
【実施例８】
【０１５０】
実施例８では別の形態の本願発明１を示す。本願発明１は基材２や補助部材４が磁力を通す機能を備えるがゆえに様々な形態が考えられる。その一例を示す。
【０１５１】
図４６の本願発明１について述べる。図４６-ａは正面図、図４６-ｂは背面図を描く。図４６-ａは基材２の上部に窪み穴２２を設け、下部には窪み穴２２´´を備えている。窪み穴２２´´には横に大きく開くスリット１６が備えられている。使用に際しては磁石体３を前記窪み穴２２に固定する。又、図４６-ｂで示す基材２の背面下部には窪み穴２２があり、前方から貫通するスリット１６を備えている。
【０１５２】
図４６-aで示す基材２の上部前面にある前記窪み穴２２には中央に空気を通す穴１５が３か所開けられている。前記窪み穴２２に磁石体３を固定するにおいて前記磁石体３を押し込む際の空気の圧力抵抗が前記穴１５により排除される。
【０１５３】
更に図４６-aでは基材の下部の円形部分の両面には浅めの窪み穴２２があり、前記浅めの窪み穴２２にはスリット１６が備え付けられている。画鋲頭部１２を固定する為に、前記画鋲頭部１２を背面から前記スリット１６を通してスリット１６の前面の上部や下部から部分的に露出させても良いし、図４６-ｂで示すスリットの背面の窪み穴２２´に接着剤で固定しても良い。図４６-ｂで示す窪み穴２２´の外枠に伸縮性を備えさせたり、又は窪み穴２２の周辺に補助部材４を備えさせたりする手段を用いた場合は接着剤が無くても固定が可能となる。スリット１６の上部や下部から画鋲頭部１２を一部分出す場合は窪み穴２２に傾斜を付けて画鋲頭部１２が接面９においてシート類１０の押し込みを阻害させないようにする工夫を行う。
【０１５４】
図４７は０１５１項〜０１５３項で示した本願発明１において、磁石体３と画鋲４を備えた側面図を記載した。この様にしてスリット１６に画鋲頭部を挟み込んで使う場合は、スリット１６が補助部材４の代わりをする。
【０１５５】
図４８は基材２の裏側を袋状にしてそこにスリット１６を備えさせた本願発明１を示す。ａは正面図、ｂは背面図を描いている。
【０１５６】
図４９は、０１５５項の図４８で示す本願発明１の使用の側面図を示す。画鋲は袋状のポケットに裏部分の窪み穴２２からスリット１６に画鋲針部１１を通して固定する。
【０１５７】
図５０では基材２が上部に磁石体を備え、下部には窪み穴２２を備え、前記窪み穴の２２の前面の基材２部分にはＵ字状のベロ状基材が備えられている。その正面図が図５０-ａであり、背面図が図５０-bである。
【０１５８】
図５１では０１５７項の本願発明を使用する場合の側面図である。使用については、図５０-ａの正面にあるＵ字状のスリット１６を手前に開き、開いた際にベロ状基材２´の後部にある窪み穴２２（図５１の２２）の背面にある穴１５に画鋲針部１１を貫通させ、前記くぼみ穴２２に画鋲頭部１２を収納させる。Ｕ字状のスリット１６によりベロ型になる基材２´で蓋をするわけである。この場合、磁石体３を折り返した接面９は前記Ｕ字状のベロ状基材２´により平らなプレート状となり、前記Ｕ字状のベロ状基材が磁力を通す機能を持つので、このプレート状の接面にシート類１０を滑り込ませる事が出来る。００４８項で述べたがこの際、磁石体３の形状を変えることで、更に本願発明１はその主旨を達成できる。
【実施例９】
【０１５９】
実施例１〜８においては主にシート類固定器具用部品について述べた。しかし本願発明１の請求項２においてはシート類固定器具についても記載している。前記シート固定器具においては、一部を００４２項で述べた。実施例９では前記シート固定器具についての詳細を述べる。
【０１６０】
本願発明１の請求項２には「磁力を通す機能を備えた基材に磁石体を備え、前記基材に磁力に貼りつく性質のもの、及び/又は刺入部材を備えたことを特徴とするシート類固定器具」と記載されている。この記載に基く描写が図５２、図５３である。
【０１６１】
図５２、図５３ではａ、ｂ、ｃを記載するが、図５２-ａでは磁力を通す機能を備えた基材２に磁石体３と金属板７を、基材を挟んで両側の上下に備えた本願発明１を示す。図５２-a、図５３-aでは金属板には両面テープ等の粘着剤が備えられている。この粘着剤で本願発明１を壁等に固定することが出来る。又、二つ折りにした場合は、基材２が磁力を通す機能を備えた機能を持つので、磁石体の背面の基材２の部分は金属体に磁力により貼りつき固定することが出来る。
【０１６２】
図５２-ｂ、図５３-ｂでは磁力を通す機能を備えた基材２に磁石体３と更に別の磁石体３´を、基材を挟んで両側の上下に備えた本願発明１を示す。図５２-ｂでは、二つ折りにした場合は磁石体３´の前面のみならず基材２が磁力を通す機能を備えた機能を持つので、磁石体３側の背面も金属体に磁力により貼りつき固定することが出来る。
【０１６３】
図５２-ｃ、図５３-ｃでは磁力を通す機能を備えた基材２に磁石体３と画鋲頭部１２を、基材を挟んで両側の上下に備えた本願発明１を示す。図５２-ｃでは画鋲頭部だが、他の刺入部材や金属板７に針部を持たせたものでも本願発明１の効果は変わらない事は言うまでもない。
【０１６４】
図５３、図５４の使用例においては、実施例１から８で前述しているのでここでは省略する。
【０１６５】
図５４では図５２-ｃ、図５３-ｃを用いて請求項２記載の本願発明シート固定器具（以下本願発明１と記載）の各形態を示す。図５４(a)は本願発明１の基材２に窪み穴２２，２２´を設けている。前記窪み穴２２に磁石体３等を固定する。窪み穴２２だけでは固定力が弱い場合は窪み穴２２の底面に粘着剤等（両面テープ等）を取り付ければ良い。前記基材２の中央は可撓性を備えている。又、基材２は穴１５を備えている（この穴１５はスリット１６でも構わない）。図５４(b)は本願発明１に補助部材４を設けている。基材２の中央には折曲部を備えている。
【０１６６】
図５４-cは、本願発明１の基材に爪２３，２３´を備えている。前記爪２３，２３´（補助部材４）により基材２は磁石体３等を固定する機能を持つ。もちろん突起や穴や粘着剤の補助部材を用いても前記磁石体３等（磁石体３、又は磁力に貼りつく性質のもの７又は刺入部材、プレート２４、立体物２５等）は基材２に固定することが可能である。
【０１６７】
図５５は本願発明１の基材２に突起物１９（補助部材４）を備えさせた形態を示す。前記突起物１９に嵌めこめる穴を備えたプレート２４（図５５ではネームプレート）や立体物２４（図５５ではキャラクター）を前記突起物１９に嵌めこめ（ユニバーサルジョイント構造）ば、本願発明１のシート類の前面側には、名札やキャラクターを備えることが可能となる。
【０１６８】
図５５の様にユニバーサルジョイントにすれば、前記プレートや立体物の位置調整は可能である。もちろん基材側に穴１５を設け、プレート２４や立体物２５に突起物を備えさせても構わない。
【０１６９】
プレート２４や立体物２５を備える機能としては、実施例１〜８で示した基材２に補助部材４や窪み穴２２、穴や、突起、爪や粘着剤を用いても機能は達成できるという事は言うまでもない。その形態については図５７で一例を示す。
【０１７０】
図５８は図５７の技法でプレート２４や立体物２５を本願発明１に備えさせた正面図である。基材２の形状を変えることで様々なタイプが前面で表現できる。この様に本願発明１はプレート２４や立体物２５を備える機能があるが、当初から磁力を通す基材２にプレートや立体物を備えさせても構わない。
【０１７１】
又、基材２、補助部材４、磁石体３に絵柄や、名前等のデザインや立体物２５を最初から備えさせていれば、上記形状を変えることで様々なタイプが前面で表現できることに加え、様々なデザインや立体物２５を使用する際に本願発明１の前面にかもしだすことが可能となる。
【０１７２】
図５９では基材２がＵ字型のスリット１６を備えたことを特徴とする本願発明１について説明する。図１５は基材２が磁石体を備え、又、画鋲頭部を備えさせ、画鋲頭部を貼り付けた基材２には穴１５が開いている。前記穴１５は画鋲頭部１５を接着する際に空気を逃がす空気穴及び、磁力を通しやすい効果を持つ穴として備えられている
【０１７３】
図５９-aにおいては側面図を示すが、基材２は磁石体３の反対側にＵ字型のスリットを備えている。図５９-ｂは正面図を示す。これを上から前方に折り曲げ掲示板１３に固定させた状態を図５９-dで示す。
【０１７４】
図５９-ｃでは背面図を示す。基材２の上部にはＵ字型のスリット１６が備えられている。背面の下部画鋲針１１を掲示板１３に差し込んだ側面図を図５９-dで示す。基材２に備えられたスリット１６（Ｕ字、Ｃ字、コの字型等）を備えることで、プレート２４や立体物２５を備え付けることが出来る。
【０１７５】
図６０は別の形態の本願発明１の背面図を示すが、基材２には磁石体３等を設けることが出来るポケット状の補助部材４が備えられている。更に前記補助部材４にはＣ字型スリット１６を備えている。図６０で示す形態の本願発明１は折り返し使用する際にＣ型スリット１６により、その挟持効果で磁石体等や、プレート等を設けることが出来る。
【０１７６】
図６１、図６２は基材２の下部に備えた補助部材４の形状を記載する。図５１は補助部材に突起物１９，１９´を備える。これにより画鋲頭部１２は空間５内で安定する。又画鋲頭部１２は基材２に押し付けられるように貼りつくので、基材２の接面９の磁力に貼りつく効果は高まる。前記爪１９は円形の突起物等でも構わない。
【０１７７】
図６２は、基材２の背面に窪み穴２２を備え、前記窪み穴に画鋲頭部１２を押し込み爪２３，２３´で固定したものである。爪２３が無くても窪み穴の外面に柔軟性や伸縮性を備えさせれば、磁石体、又は磁力に貼りつく性質のもの又は刺入部材又はプレート又は立体物等の固定は可能となる。
【０１７８】
図６１、図６２においては補助部材の空間５に備えられるのは、画鋲頭部１２だけではなく画鋲針部１１も含まれると解釈される。
【０１７９】
図６３は基材２に３個の窪み穴２２、２２´、２２´´を備えさせた形態である。この様に窪み穴２２や補助部材４や爪２３は基材２の片面のみならず両面に備えても構わない。
【０１８０】
更に、図６３では基材２には３個の磁石体３又は金属体７が備えられており、前記磁石体３又は金属体７の中央にはネジ穴が備えられている。これにより、ネジを備えさせた針部１１やプレート２４や立体物２５の固定が可能である。
【０１８１】
前記ネジ穴２６はネジ穴でなくても良く、針部１１やプレート２４や立体物２５等の固定が可能である機能を備えていれば構わない。もちろん前記機能（針部１１やプレート２４や立体物２５等の固定機能）は、本願発明１においては基材２や補助部材４に備えさせても同じ効果がある。
【０１８２】
実施例１〜８ではシート類固定器具用部品としての使用例、実施例９においてはシート類固定器具用部品としての使用例について説明したが、本願発明１は請求項１記載のシート類固定器具用部品であっても請求項２記載のシート類固定器具であってもその機能は変わらず発揮でき、本願発明の主旨は達成できる。
【０１８３】
尚、本願発明１はシート類固定器具用部品であり、これに磁石体３、金属板７、画鋲頭部１２等を設けることで、本願発明器具１を固定する例においては実施例では画鋲のみを表記しているが、画鋲に限定されない。つまり、針部１１を備えた頭部１２が磁石体３に磁力で貼りつく性質を持つ刺入部材を用いれば実施例に示す効果を持つ事が出来ることは言うまでもない。
【０１８４】
最後に、画鋲以外の刺入部材を本願発明に用いる場合の一例を述べる。
【０１８５】
画鋲では抜け落ちる可能性がある場合においてはネジを用いると抜け落ちが防止される。外部で風の強いところにテントシート等を固定する場合等は画鋲では無理であり、画鋲よりも強力な固定力のあるネジ、釘等が不可欠であり、前記ネジ、釘 (単数又は複数)によりこの場合の刺入部材補助具は壁面に固定される。この場合は磁石体３も強力、複数、大きいものが必要となる。
【０１８６】
家の外壁等に本願発明器具１を固定する場合は外壁に対する刺入部材としてネジや釘が本願発明器具１を固定する為に用いられる。通常はタッピンネジやドリルネジが用いられるが、外壁が貫通する穴を備えた場合はボルトネジを用いることが出来る。たとえば外壁で本願発明１を使用し、日よけシートを挟み込めば、外壁での日よけシートの固定が完了する。もちろん、外壁においても前記０１３６項に述べた手法（板、紐、糸、布、厚紙等への固定の手法）で固定しても良い。
【０１８７】
又、庭等で床シートを固定する場合はネジや釘を地面に打ち込んで使用することが出来る。
【０１８８】
本願発明１の補助部材４が外部に貫通したスリット１６を備えた場合は、画鋲や刺入部材を抜くことなく、外部に開口したスリットに針部１１を挿入してスライドさせれば、刺入部材を抜くことなく本願発明１の固定は完了する。
【０１８９】
尚、基材２と補助部材４が作る空間５は狭い方が画鋲頭部１２は空間５内で安定しやすいし、基材２に密着し磁力の影響を受けやすい。補助部材４が創る空間５に刺入部材を備え付ける場合、刺入部材頭部１２のみとは限らない。
【０１９０】
この様に、本願発明１を用いればシート類１０の取り付けにおいて邪魔な異物（刺入部材の頭部１２）を基材面から排除出来ることにより、簡易作業でシート類１０の固定が完了する。
【符号の説明】
【０１９１】
１    本願発明器具
２    基材
３    磁石体
４    補助部材
５    空間
６    折曲部
７    金属板又は磁石体（磁力に貼りつくもの）
８    合体部
９    接面（磁石体３と基材２の接面）
１０  シート類
１１  針部
１２  画鋲頭部（刺入部材頭部）
１３  掲示板
１４  粘着剤
１５  穴
１６  スリット
１７  隙間
１８  受け穴
１９  突起物
２０  ベロ状の基材
２１  両面テープ又は粘着ジェル
２２  窪み穴
２３  爪
２４  プレート（図ではネームプレート）
２５  立体物  （図ではキャラクター）
２６  ネジ穴
【要約】
【課題】
本願発明は、磁石体を基材に設けることでシート類を保持するシート類固定用器具において、前記シート類固定用器具を簡単に作成できるシート類固定用部品を作り、前記、シート類固定器具部品で作られた、シート類固定器具を掲示板等に固定した場合、ただ単にシート類を押し込む（差し込む）だけの簡易作業でシート類が掲示板等に備え付けることが出来る機能を持たせることを課題とする。  
【解決手段】
基材に補助部材や窪み穴を設け、基材又は補助部材、又は窪み穴に磁力を通す機能を備えさせたことを特徴とするシート類固定器具用部品を作成する。そして前記基材、前記補助部材、前記窪み穴に磁石体又は磁力に貼りつく性質のもの又は刺入部材を備えたことを特徴とするシート類固定器具を作成する。
【選択図】図３２【図１】
0005945042.tif 000002
【図２】
0005945042.tif 000003
【図３】
0005945042.tif 000004
【図４】
0005945042.tif 000005
【図５】
0005945042.tif 000006
【図６】
0005945042.tif 000007
【図７】
0005945042.tif 000008
【図８】
0005945042.tif 000009
【図９】
0005945042.tif 000010
【図１０】
0005945042.tif 000011
【図１１】
0005945042.tif 000012
【図１２】
0005945042.tif 000013
【図１３】
0005945042.tif 000014
【図１４】
0005945042.tif 000015
【図１５】
0005945042.tif 000016
【図１６】
0005945042.tif 000017
【図１７】
0005945042.tif 000018
【図１８】
0005945042.tif 000019
【図１９】
0005945042.tif 000020
【図２０】
0005945042.tif 000021
【図２１】
0005945042.tif 000022
【図２２】
0005945042.tif 000023
【図２３】
0005945042.tif 000024
【図２４】
0005945042.tif 000025
【図２５】
0005945042.tif 000026
【図２６】
0005945042.tif 000027
【図２７】
0005945042.tif 000028
【図２８】
0005945042.tif 000029
【図２９】
0005945042.tif 000030
【図３０】
0005945042.tif 000031
【図３１】
0005945042.tif 000032
【図３２】
0005945042.tif 000033
【図３３】
0005945042.tif 000034
【図３４】
0005945042.tif 000035
【図３５】
0005945042.tif 000036
【図３６】
0005945042.tif 000037
【図３７】
0005945042.tif 000038
【図３８】
0005945042.tif 000039
【図３９】
0005945042.tif 000040
【図４０】
0005945042.tif 000041
【図４１】
0005945042.tif 000042
【図４２】
0005945042.tif 000043
【図４３】
0005945042.tif 000044
【図４４】
0005945042.tif 000045
【図４５】
0005945042.tif 000046
【図４６】
0005945042.tif 000047
【図４７】
0005945042.tif 000048
【図４８】
0005945042.tif 000049
【図４９】
0005945042.tif 000050
【図５０】
0005945042.tif 000051
【図５１】
0005945042.tif 000052
【図５２】
0005945042.tif 000053
【図５３】
0005945042.tif 000054
【図５４】
0005945042.tif 000055
【図５５】
0005945042.tif 000056
【図５６】
0005945042.tif 000057
【図５７】
0005945042.tif 000058
【図５８】
0005945042.tif 000059
【図５９】
0005945042.tif 000060
【図６０】
0005945042.tif 000061
【図６１】
0005945042.tif 000062
【図６２】
0005945042.tif 000063
【図６３】
0005945042.tif 000064